(57)【要約】【課題】メタルラック併用時に引出し容器を引出してもメタルラックの棚体に対して外ケースが傾くことなく、引出し入れ操作をスムーズに行うことができる収納ケースを提供すること。【解決手段】前面開放部１を有する箱型の外ケース２内に、前記前面開放部１を介して引出し容器３が引出し入れ自在に装着されている収納ケースＡにおいて、前記外ケース２の後部に、この外ケース２をメタルラック４の棚体５に載置した際にこの棚体５後部の線材６に係止して外ケース２後部の上動を阻止する係止部７が設けられていることを特徴とする収納ケース。【選択図】図１
2019143673.tif 000002
【特許請求の範囲】
【請求項１】
前面開放部を有する箱型の外ケース内に、前記前面開放部を介して引出し容器が引出し入れ自在に装着されている収納ケースにおいて、前記外ケースの後部に、この外ケースをメタルラックの棚体に載置した際にこの棚体後部の線材に係止可能となって外ケース後部の上動を阻止する係止部が設けられていることを特徴とする収納ケース。
【請求項２】
前記メタルラックは、ラック支柱に取付けられる四箇所のコーナー部材間に線材が横架されて成る平面視方形状の前記棚体を備えており、前記係止部は、前記棚体の後部の横架線材の下方に配置されて、この係止部が横架線材に下方から係止することにより外ケース後部の上動が阻止されるように構成されていることを特徴とする請求項１記載の収納ケース。
【請求項３】
前記外ケースの後部に差込み孔が設けられ、この差込み孔に前記係止部を有する差込み部材を差込むことで外ケース後部に係止部が後方へ突出状態に設けられていると共に、この差込み部材は、外ケース後部に対する差込み量を調整可能に構成されていて、この差込み部材の差込み量調整によって前記係止部の外ケース後部に対する後方への突出度を調整可能に構成されていることを特徴とする請求項１，２のいずれか１項に記載の収納ケース。
【請求項４】
前記差込み部材は、その後方突出先端部が、前記棚体後部の線材に被嵌可能な断面コ字状に形成され、このコ字状の後方突出先端部の下側水平部が、前記線材の下方に配置されてこの線材に下方から係止可能な前記係止部として構成されていることを特徴とする請求項３記載の収納ケース。
【発明の詳細な説明】
【技術分野】
【０００１】
本発明は、例えば、衣類等を整理収納するのに便利な引出し式収納ケースに関するものである。
【背景技術】
【０００２】
この種の引出し式収納ケースとして、前面開放部を有する箱型の合成樹脂製外ケース内に、前記前面開放部より合成樹脂製の引出し容器を引出し入れ自在に装着して成るものが実施されている（例えば、特許文献１参照）。
【先行技術文献】
【特許文献】
【０００３】
【特許文献１】特開２００６−１６０３４号公報
【特許文献２】特開平５−１７６８１６号公報
【発明の概要】
【発明が解決しようとする課題】
【０００４】
一方、従来から、例えば特許文献２に示すような組立て式のメタルラック（スチールラックとも称される。）が実施されており、このようなメタルラックの棚体（ワイヤーシェルフ）上に、上記したような合成樹脂製の引出し式収納ケースが載置されて使用されることがある。
【０００５】
ところが、上記のように引出し式収納ケースをメタルラックと併用した場合、収納物が収納された引出し容器を前方へ引出すと、引出した引出し容器が重いために外ケースの後部が上動するように収納ケースが棚体上で傾いてしまって、引出し入れ作業をスムーズに行えなくなってしまうことがあった。
【０００６】
本発明は、このような従来の収納ケースのメタルラック併用時の問題点に注目し、これを解決するためのもので、収納ケースの外ケースに簡単な改良を施すことで、引出し容器を引出してもメタルラックの棚体に対して外ケースが傾くことなく、引出し入れ操作をスムーズに行うことができる収納ケースを提供するものである。
【課題を解決するための手段】
【０００７】
添付図面を参照して本発明の要旨を説明する。
【０００８】
前面開放部１を有する箱型の外ケース２内に、前記前面開放部１を介して引出し容器３が引出し入れ自在に装着されている収納ケースＡにおいて、前記外ケース２の後部に、この外ケース２をメタルラック４の棚体５に載置した際にこの棚体５後部の線材６に係止可能となって外ケース２後部の上動を阻止する係止部７が設けられていることを特徴とする収納ケースに係るものである。
【０００９】
また、前記メタルラック４は、ラック支柱８に取付けられる四箇所のコーナー部材９間に線材６が横架されて成る平面視方形状の前記棚体５を備えており、前記係止部７は、前記棚体５の後部の横架線材６の下方に配置されて、この係止部７が横架線材６に下方から係止することにより外ケース２後部の上動が阻止されるように構成されていることを特徴とする請求項１記載の収納ケースに係るものである。
【００１０】
また、前記外ケース２の後部に差込み孔10が設けられ、この差込み孔10に前記係止部７を有する差込み部材11を差込むことで外ケース２後部に係止部７が後方へ突出状態に設けられていると共に、この差込み部材11は、外ケース２後部に対する差込み量を調整可能に構成されていて、この差込み部材11の差込み量調整によって前記係止部７の外ケース２後部に対する後方への突出度を調整可能に構成されていることを特徴とする請求項１，２のいずれか１項に記載の収納ケースに係るものである。
【００１１】
また、前記差込み部材11は、その後方突出先端部が、前記棚体５後部の線材６に被嵌可能な断面コ字状に形成され、このコ字状の後方突出先端部の下側水平部が、前記線材６の下方に配置されてこの線材６に下方から係止可能な前記係止部７として構成されていることを特徴とする請求項３記載の収納ケースに係るものである。
【発明の効果】
【００１２】
本発明は上述のように構成したから、メタルラックの棚体に載置してメタルラックと併用した場合に、外ケースの後部に設けられている係止部が棚体後部の線材に係止して引出し容器引出し時に外ケース後部の上動を阻止でき（外ケースの傾きを防止でき）、従ってこの引出し容器の引出し入れ操作をスムーズに行うことができ、しかも本発明は、既存の収納ケースに対して、外ケースの後部に係止部を設けるだけの簡単な構造変更を施すことで設計実現可能であるなど、極めて実用性に優れた収納ケースとなる。
【００１３】
また、請求項２記載の発明においては、ラック支柱に取付けられる四箇所のコーナー部材間に線材が横架されて成る平面視方形状の棚体を備えているメタルラックと併用した際に、前記作用・効果を確実に発揮できる極めて実用性に優れた収納ケースとなる。
【００１４】
また、請求項３記載の発明においては、外ケース後部に係止部を設ける構成を簡易に設計実現可能となり、しかも、既存のメタルラックの棚体には様々な大きさのものが存在しているが、併用するメタルラックで採用した棚体の奥行寸法に対応させて、係止部の位置を調整可能となるなど、一層実用性に優れた構成の収納ケースとなる。
【００１５】
また、請求項４記載の発明においては、前記作用・効果を確実に発揮する係止部を、簡易構成にして容易に設計実現可能となる一層実用性に優れた構成の収納ケースとなる。
【図面の簡単な説明】
【００１６】
【図１】本実施例をメタルラックと併用した使用状態を示す概略説明側面図である。
【図２】本実施例の差込み部材を示す拡大平面図及び拡大側面図である。
【図３】本実施例を示す、差し込み部材を分解した背面側からの説明斜視図である。
【図４】本実施例をメタルラックと併用した使用状態における一部を切り欠いた要部拡大説明側面図である。
【図５】本実施例の差込み部材の差込み孔への差込み構造を示す部分拡大説明平面図である。
【発明を実施するための形態】
【００１７】
好適と考える本発明の実施形態を、図面に基づいて本発明の作用を示して簡単に説明する。
【００１８】
本発明の収納ケースＡを、メタルラック４の棚体５に載置して使用すると、外ケース２の後部に設けられている係止部７が棚体５後部の線材６に係止可能となる。
【００１９】
そのため、外ケース２から引出し容器３を引出した際にこの引出し容器３が重くて外ケース２が棚体５に対し前下がりに傾こうとしても、前記係止部７によって外ケース２後部の上動が阻止される。
【００２０】
従って、メタルラック４と併用した場合に、引出し容器３引出し時の外ケース２の傾きが防止されるので、この引出し入れ操作が不都合なくスムーズに行われることとなる。
【００２１】
尚、係止部７は、本収納ケースＡを前記棚体５に載置した際に棚体５後部の線材６に係止するように構成されていても良いし、棚体５に載置しただけでは棚体５後部の線材６に係止せず、例えば外ケース２後部が少し持ち上がった際に棚体５後部の線材６に係止するように構成されていても良い。
【００２２】
また、本発明は、既存の収納ケースＡの外ケース２の後部に、メタルラック４の棚体５後部の線材６に係止する係止部７を設けるだけの簡単な構造変更を施すことで設計実現可能である。
【実施例】
【００２３】
本発明の具体的な実施例について図面に基づいて説明する。
【００２４】
本実施例の収納ケースＡは、前面開放部１を有する箱型の外ケース２内に、前記前面開放部１を介して引出し容器３が引出し入れ自在に装着されている。
【００２５】
具体的には、外ケース２は、合成樹脂製であって、左右一対の方形状側板14と、この左右の側板14の上端部間に架設される方形状天板15と、左右の側板14の下端間に架設される方形枠状底フレーム16と、左右の側板14の後端部間に架設される方形状後板17とから成る前面開放形の箱形ケースに構成されている（図１，図３参照）。
【００２６】
引出し容器３は、合成樹脂製であって、詳しい図示は省略しているが前板18の上下部に取手19を具備する上部開口形の箱形容器に構成されていて、前記外ケース２内に引出し入れ自在に収納装着されている。
【００２７】
尚、図面は、引出し容器３が一段の収納ケースＡを図示しているが、引出し容器３が上下多段に設けられている収納ケースＡにも、本発明は適用可能である。
【００２８】
本実施例は、前記外ケース２の後部に、この外ケース２をメタルラック４の棚体５に載置した際にこの棚体５後部の線材６に係止可能となって外ケース２後部の上動を阻止する係止部７が設けられている。即ち、本実施例の収納ケースＡをメタルラック４の棚体５に載置して使用する場合に、外ケース２の後部に設けられている係止部７を棚体５の線材６に係止すると、外ケース２から引出し容器３を引出した際に、たとえこの引出し容器３が重くて外ケース２が前下がりに傾こうとしても、前記係止部７が線材６に係止することによって外ケース２後部の上動が阻止されて、この引出し容器３の引出し入れ操作がスムーズに行われるように構成されている。
【００２９】
ここで、本実施例のメタルラック４について説明すると、図１，図４に示すように、四隅に配置するラック支柱８と、このラック支柱８に取付可能な四箇所のコーナー部材９間に線材６が横架されて成る平面視方形状の前記棚体５とを備えており、ユーザーがラック支柱８に対して取付ける棚体５の段数を任意に選択可能な組立て式のものである。
【００３０】
また、棚体５について更に詳しく説明すると、隣接する前記コーナー部材９間に、上部線材６Ａと下部線材６Ｂとこの上下の線材６Ａ・６Ｂ間に配設される波形線材６Ｃとが横架され、対向する上部線材６Ａ間に縦・横に桟材（線材）20が横架されて成るワイヤーシェルフ５に構成されている。
【００３１】
本実施例は、前記外ケース２の底フレーム16の後面中央部に差込み孔10が設けられ、この差込み孔10に前記係止部７を有する差込み部材11を差込むことで外ケース２後部に係止部７が後方へ突出状態に設けられている。
【００３２】
具体的には、差込み孔10は、図３に示すように横長なスリット状の孔に形成（底フレーム16に一体成形）され、一方、差込み部材11は、このスリット状の差込み孔10に差込み可能な合成樹脂製の帯板状体で構成されている。
【００３３】
また、差込み部材11は、図２に示すように、一端側がやや幅狭な差込み片部21に構成され、他端側が前記メタルラック４の棚体５の後部の横架線材６を抱持可能な側断面コ字板状に成形されて、このコ字板状他端部の下部水平板部が、前記棚体５後部の横架線材６の下方に配置されて、横架線材６に下方から係止することにより外ケース２後部の上動を阻止する前記係止部７として構成されている。図中符号26は補強リブである。
【００３４】
尚、図面は、棚体５後部の前記上部線材６Ａに対して係止可能な係止部７を構成しているが、前記下部線材６Ｂや前記波形線材６Ｃに対して係止可能な係止部７に構成されていても良い。また、本実施例では、外ケース２の後部の一箇所に係止部７が設けられている場合を示したが、外ケース２の後部の二箇所以上に係止部７が設けられる構成が採用されていても良い。また、図面の係止部７は、本収納ケースＡを棚体５に載置しただけでは棚体５後部の線材６に係止せず、外ケース２後部が少し持ち上がった際に棚体５後部に係止するように構成されている場合を示しているが、本収納ケースＡを前記棚体５に載置した際直ちに棚体５後部の線材６に係止するように構成されていても良い。
【００３５】
また、この差込み部材11は、外ケース２後部に対する差込み量（差込み深さ）を調整可能に構成されていて、この差込み部材11の差込み量調整によって前記係止部７の外ケース２後部に対する後方への突出度を調整可能に構成されている。
【００３６】
更に詳しくは、前記差込み部材11の差込み片部21は、左右二箇所の切り込み23（スリット23）を介して平面視で三又形状に形成（一体成形され）ていると共に、その左側（一側）部24と右側（他側）部25とが可撓性のある細棒状に形成（一体成形され）、この細棒状の左側部24と右側部25の外側縁部の先端寄り位置に夫々係止凸部12が設けられ（一体成形され）ている（図２参照）。
【００３７】
一方、図４，図５に示すように、この係止凸部12が乗り越え摺動する摺動突起22が前記差込み孔10内の左右部に設けられ（一体成形され）ていると共に、この摺動突起22は、差込み孔10に対する前記差込み部材11の差込み方向に間隔を置いて複数並設状態に設けられていて、この摺動突起22間の間隙部13が、前記係止凸部12が凹凸係合する係合凹部13として構成されている。即ち、差込み孔10内の左右部に、この差込み孔10に対する前記差込み部材11の差込み方向に間隔を置いて係合凹部13が複数並設状態に設けられ（一体成形され）ている。
【００３８】
従って、差込み孔10に差込み部材11を差込むと、係止凸部12と摺動突起22とが接触した際に細棒状の前記左側部24と右側部25が内側に弾性変形し、これにより係止凸部12が摺動突起22を乗り越えて復帰弾性により係合凹部13に凹凸係合すると、差込み部材11（係止部７）が外ケース２の後部に突出状態で位置決められると共に、差込み部材11を抜き差し方向に動かして（差込み部材11の差込み孔10に対する差込み量を変化させて）複数の係合凹部13に対する係止凸部12の凹凸係合位置を選択することにより、係止部７（差込み部材11）の外ケース２後部に対する後方への突出度を多段階に調整可能に構成されている。
【００３９】
即ち、既存のメタルラック４には、様々な大きさ・寸法の棚体５が用意されているが、併用するメタルラック４で採用した棚体５の奥行寸法に対応させて、係止部７の位置を調整可能となるように構成されている。
【００４０】
図示していないが、差込み孔10に係止凸部12が設けられる一方、差込み部材11に係合凹部13が設けられている構成が採用されていても良い。また、係合凹部13が一箇所にだけ設けられる一方、係止凸部12が複数連続的に形成されている構成が採用されていても良いし、係止凸部12と係合凹部13の双方が複数連続的に形成されている構成が採用されていても良い。
【００４１】
尚、本発明は、本実施例に限られるものではなく、各構成要件の具体的構成は適宜設計し得るものである。
【符号の説明】
【００４２】
１  前面開放部
２  外ケース
３  引出し容器
４  メタルラック
５  棚体
６  線材
７  係止部
８  ラック支柱
９  コーナー部材
10  差込み孔
11  差込み部材
Ａ  収納ケース
【図１】
2019143673.tif 000003
【図２】
2019143673.tif 000004
【図３】
2019143673.tif 000005
【図４】
2019143673.tif 000006
【図５】
2019143673.tif 000007